(57)【要約】【課題】簡単な構成で浴室天井パネルの裏面側を補強して乾燥機の荷重を確実に支持する。施工が簡単にできる。【解決手段】浴室天井パネル１に設けた開口部２から浴室天井裏１１に挿入して浴室天井パネル１の上面の上記開口部２の周囲に載置される矩形状をした補強枠３を有する。補強枠３の対向する枠材４の両端部にそれぞれ一端部が取付けられて長手方向の全長又はほぼ全長が該枠材４に重複する収納状態と、枠材４の端部から該枠材４と平行な方向に突出して浴室天井パネル１の上面に載置される状態とに切り替え自在となった補強枠支持棒５を有する。突出した状態の補強枠支持棒５を補強枠３に固定手段６で固定する。浴室天井パネル１の下面側から補強枠３に対してねじ７で乾燥機８を取付ける。【選択図】図１
2009155836.tif 000002
【特許請求の範囲】
【請求項１】
浴室天井パネルに設けた開口部から浴室天井裏に挿入して浴室天井パネルの上面の上記開口部の周囲に載置される矩形状をした補強枠と、該補強枠の対向する枠材の両端部にそれぞれ一端部が取付けられて長手方向の全長又はほぼ全長が該枠材に重複する収納状態と、該枠材の端部から該枠材と平行な方向に突出して浴室天井パネルの上面に載置される状態とに切り替え自在となった補強枠支持棒と、上記突出した状態の補強枠支持棒を補強枠に固定するための固定手段と、浴室天井パネルの下面側から補強枠に対してねじで固定して取付けられる乾燥機とよりなることを特徴とする乾燥機の浴室天井パネルへの取付け構造。
【請求項２】
浴室天井パネルの上面に断熱層を備え、浴室天井パネルの上面の開口部の周囲の部分に断熱層がない段部となった部分を設け、浴室天井パネルの上面の段部に補強枠を載設し、補強枠支持棒を浴室天井パネルの上面の断熱層上に載設して成ることを特徴とする請求項１記載の乾燥機の浴室天井パネルへの取付け構造。
【発明の詳細な説明】
【技術分野】
【０００１】
本発明は、乾燥機の浴室天井パネルへの取付け構造に関するものである。
【背景技術】
【０００２】
浴室天井パネルに乾燥機を取付けるに当って、特許文献１に示されるものが従来から知られている。
【０００３】
この従来例に示されたものは、図６のように、浴室天井パネル１に設けた開口部２から浴室天井裏１１に２本の棒状金具２０を入れて、浴室天井パネル１の上面の上記開口部２の両側に沿って載置し、浴室天井パネル１の下面の開口部２の周囲に矩形状の枠体２１を配置して、浴室天井パネル１を介して棒状金具２０と枠体２１とをねじ止めで固着し、その後、浴室天井パネル１の下面側において乾燥機８を枠体２１に別のねじにより固着するようにしている。
【０００４】
しかしながら、上記従来例にあっては、浴室天井パネル１の上面側には開口部２の長さとほぼ同じ程度の長さの棒状金具２０が取付けられるのみで、乾燥機８の荷重は、この２本の棒状金具２０部分を介して浴室天井パネル１の開口部２の対向する縁部分にのみ集中してかかることになり、乾燥機８の重量が重い場合には取付けることができない。
【０００５】
そこで、本発明者は本発明に至る過程で、図７に示すように、乾燥機８の荷重を浴室天井パネル１の上面側において開口部２の縁付近だけでなく、開口部２から離れた部分においても浴室天井パネル１に支持させるようにして重量の重い乾燥機８でも安定して取付けることができるようにすることを考えた。
【０００６】
この図７に示すものは、浴室天井パネル１に設けた開口部２から、該開口部２よりも少し大きい矩形状をした補強枠３を、該補強枠３を起立させて短辺が開口部２の長辺側を向くようにして差し入れることで、浴室天井裏１１に挿入し、該補強枠３を浴室天井パネル１の上面の開口部２の周囲に載置し、その後、補強枠３の長辺よりも長い２本の長尺の補強枠支持棒５’を開口部２から浴室天井裏１１に入れ、該２個の長尺の補強枠支持棒５’を補強枠３の長辺側の枠材４に固着具２５により固着すると共に、長尺の補強枠支持棒５’の補強枠３の長辺側の枠材４の両端からそれぞれ突出した部分を浴室天井パネル１の上面に載置する。そして、乾燥機を浴室天井パネル１の下面側から補強枠３に対してねじで固定して取付ける。
【０００７】
これにより、浴室天井パネル１の上面側において、乾燥機の荷重を開口部２の周囲と開口部２から離れた部分で浴室天井パネル１に伝達できて、支持が安定し、しかも、浴室天井パネル１の上面側が開口部２の周囲と開口部２から離れた部分で補強されることになり、浴室天井パネル１の変形を防止することができる。
【０００８】
しかしながら、上記のものにおいては、補強枠３と、長尺の２本の補強枠支持棒５’とを別々に開口部２から浴室天井裏１１に入れる必要があり、施工が面倒であり、特に、長尺の補強枠支持棒５’を浴室という狭い空間から開口部２を利用して浴室天井裏１１に入れる作業となり、しかも、この場合、長尺の補強枠支持棒５’が浴室の壁パネル、床パン、浴槽等に当ってこれら壁パネル、床パン、浴槽等を傷付けないようにして上記作業を行わなければならないので、きわめて面倒な作業となる。
【特許文献１】実用新案登録第３００２８０３号公報
【発明の開示】
【発明が解決しようとする課題】
【０００９】
本発明は上記の従来の問題点に鑑みて発明したものであって、簡単な構成で浴室天井パネルの裏面側を補強して乾燥機の荷重を確実に支持でき、また、施工性に優れた乾燥機の浴室天井パネルへの取付け構造を提供することを課題とするものである。
【課題を解決するための手段】
【００１０】
上記課題を解決するために本発明に係る乾燥機の浴室天井パネルへの取付け構造は、浴室天井パネル１に設けた開口部２から浴室天井裏１１に挿入して浴室天井パネル１の上面の上記開口部２の周囲に載置される矩形状をした補強枠３と、該補強枠３の対向する枠材４の両端部にそれぞれ一端部が取付けられて長手方向の全長又はほぼ全長が該枠材４に重複する収納状態と、該枠材４の端部から該枠材４と平行な方向に突出して浴室天井パネル１の上面に載置される状態とに切り替え自在となった補強枠支持棒５と、上記突出した状態の補強枠支持棒５を補強枠３に固定するための固定手段６と、浴室天井パネル１の下面側から補強枠３に対してねじ７で固定して取付けられる乾燥機８とよりなることを特徴とするものである。
【００１１】
このような構成とすることで、浴室天井パネル１に設けた開口部２から補強枠３を浴室天井裏１１に挿入する場合は、補強枠支持棒５を長手方向の全長又はほぼ全長を補強枠３の対向する枠材４に重複する収納状態にして開口部２から補強枠３を挿入し、浴室天井裏１１内に入れた後は、矩形状をした補強枠３を浴室天井パネル１の上面の開口部２の周囲に載置することに加え、補強枠支持棒５を補強枠３の枠材４の端部から該枠材４と平行な方向に突出させて浴室天井パネル１の上面に載置すると共に、固定手段６により突出した状態の補強枠支持棒５を補強枠３に固定することで、補強枠３に取付ける乾燥機８の荷重を浴室天井パネル１の上面の開口部２の周囲だけでなく、補強枠支持棒５を介して浴室天井パネル１の上面の開口部２から離れた部位においても支持することができる。
【００１２】
また、浴室天井パネル１の上面に断熱層９を備え、浴室天井パネル１の上面の開口部２の周囲の部分に断熱層９がない段部１０となった部分を設け、浴室天井パネル１の上面の段部１０に補強枠３を載設し、補強枠支持棒５を浴室天井パネル１の上面の断熱層９上に載設することが好ましい。
【００１３】
このような構成とすることで、矩形状の補強枠３を浴室天井パネル１の上面の開口部２の周囲に簡単且つ正確に配置して取付けることができ、また、浴室天井パネル１の上面に断熱層９を設けたものであっても、矩形状の補強枠３と補強枠３の枠材４から突出する補強枠支持棒５を介して乾燥機８からの荷重を確実に浴室天井パネル１に伝えて浴室天井パネル１により安定して支持できる。
【発明の効果】
【００１４】
本発明は、上記のように構成したので、補強枠支持棒を取付けた補強枠を、補強枠支持棒を収納状態にすることで、コンパクトにして浴室天井パネルの開口部から浴室天井裏に挿入することができ、浴室という狭い空間から開口部を利用して浴室天井裏に入れる作業が簡単でき、また、作業中に浴室の壁パネル、床パン、浴槽等を傷付けるおそれがなく、しかも、浴室天井裏に挿入後は、補強枠支持棒を枠材の端部から突出させて浴室天井パネルの上面に載置すると共に固着手段により突出した状態の補強枠支持棒を補強枠に固定することで、補強枠に取付ける乾燥機の荷重を浴室天井パネルの上面の開口部の周囲だけでなく、補強枠支持棒を介して浴室天井パネルの上面の開口部から離れた部位においても支持することができて、安定して乾燥機を浴室天井パネルに取付けることができる。
【発明を実施するための最良の形態】
【００１５】
以下、本発明を添付図面に示す実施形態に基いて説明する。
【００１６】
浴室は浴室ユニットにより構成してあり、浴室ユニットの天井を構成する浴室天井パネル１の上面には断熱層９が設けてある。この浴室天井パネル１に開口部２を設ける。
【００１７】
浴室ユニットを新規に設置する場合は、乾燥機８を取付けるための開口部２はあらかじめ工場で形成したり、あるいは現場で形成したりするが、既設の浴室ユニットの浴室天井パネル１に乾燥機８を取付ける場合は、現場で開口部２を形成する。
【００１８】
現場で開口部２を形成する場合は、まず図５（ａ）のように開口寸法Ｌの開口部２を形成し、次に、図５（ｂ）のように、上面の断熱層９の開口部２の周囲の部分の開口部２の縁から寸法Ｍ（後述の補強枠３の巾寸法と同じ長さ）離れた位置に上方から切り込み１２を形成し、次に、断熱層９の開口部２から切り込み１２までの間の部位を取り除いて図５（ｃ）のように浴室天井パネル１の上面の開口部２の周囲に段部１０を形成する。
【００１９】
補強枠３は図３に示すように矩形状をしており、４つの枠材４を矩形状に枠組みして固着一体化することで構成してある。枠材４は断面Ｌ状をしており、この断面Ｌ状の下横片の横巾が枠材４の横幅、つまり、上記寸法Ｍとなっている。
【００２０】
矩形状の補強枠３の対向する一対の枠材４にはそれぞれ長手方向の両端部の上部に補強枠支持棒５の長手方向の一端部がねじ具のような連結具１３により回動自在に取付けてある。
【００２１】
上記補強枠支持棒５は、連結具１３による取付け部分を中心にして回動自在となっており、補強枠支持棒５を回動することで、図３の実線に示すように補強枠支持棒５の長手方向の全長又はほぼ全長が該枠材４に重複する収納状態と、図３の想像線に示すように枠材４の端部から該枠材４と平行な方向に突出する突出状態とに切り替えることができるようになっている。
【００２２】
ここで、補強枠支持棒５の長手方向の全長又はほぼ全長が該枠材４に重複する収納状態において、図３に示すように、枠材４に対して補強枠支持棒５を少し傾くようにすることで、枠材４の長手方向の両端部に回動自在に取付けた枠材４よりも短いが枠材４の１／２以上の長さの補強枠支持棒５を枠材４に重複することができる。
【００２３】
また、補強枠支持棒５を図３の想像線、図４に示すように突出した状態では、補強枠支持棒５を補強枠３に固定手段６により固定して突出状態を保持することができるようになっている。
【００２４】
固定手段６としては、補強枠支持棒５の連結具１３で取付ける部分の付近（実施形態では上方位置）に係止孔１４又は係止突起を設けると共に、枠材４の連結具１３で取付ける部分の付近（実施形態では上方位置）に係止突起１５又は係止孔を設け、この係止突起１５と係止孔１４で固定手段６を構成してあり、係止突起１５を係止孔１４に弾性的に係止し、この係止はいったん係止すると外れないような構造となっていて補強枠支持棒５の補強枠３からの突出状態を保持するようになっている。
【００２５】
上記係止突起１５は補強枠支持棒５の上記収納状態においては、係止孔１４に係止されることなく、補強枠支持棒５の側面（又は枠材４の側面）に弾接していて収納状態においても外力を加えない限り不用意に補強枠支持棒５が枠材４に対して回動しないようになっている。
【００２６】
上記の構成の４つの補強枠支持棒５を取付けた補強枠３は、各補強枠支持棒５を図３の実線に示すように補強枠支持棒５の長手方向の全長又はほぼ全長が該枠材４に重複する収納状態にしてコンパクトにし、このようにコンパクトにした状態で浴室内から浴室天井パネル１の開口部２を通して浴室天井裏１１に挿入する。このようにすることで、補強枠３と４つの補強枠支持棒５とを一緒にして開口部２を通して浴室天井裏１１に挿入することができ作業が簡略化できることになる。
【００２７】
その後、浴室天井裏１１内で各補強枠支持棒５を回動して図３の想像線に示すように枠材４の端部から各補強枠支持棒５を突出させると共に、図４のように係止突起１５を係止孔１４に係止して突出状態を保持する。このように補強枠支持棒５を突出方向に回動させるだけで係止突起１５を係止孔１４に係止できるので、突出状態の保持が簡単にできる。
【００２８】
この状態で、図５（ｄ）のように矩形状をした補強枠３を浴室天井パネル１の上面の開口部２の周囲の段部１０に嵌め込んで位置決めした状態で載置し、また、補強枠支持棒５を浴室天井パネル１の上面の断熱層９上に載設する。
【００２９】
このようにして浴室天井パネル１の上面側に補強枠支持棒５付きの補強枠３を設置した後、浴室内から乾燥機８の外周の取付け部１６を残して乾燥機８の大部分を上記開口部２内に挿入し、乾燥機８の外周の取付け部１６を浴室天井パネル１の下面の開口部２の周囲に当接し、この状態で浴室内からねじ７を挿入して図５（ｅ）のように浴室天井パネル１を介して補強枠３の枠材４の下横片に固着することで乾燥機８を浴室天井パネル１に取付ける。
【００３０】
本発明においては、上記のようにして補強枠３に取付ける乾燥機８の荷重は、浴室天井パネル１の上面の開口部２の周囲で支持されるだけでなく、補強枠支持棒５を介して浴室天井パネル１の上面の開口部２から離れた部位においても支持されることになり、乾燥機８の支持強度が向上し、浴室天井パネル１の開口部２周囲の局部的な変形等が防止できることになる。
【００３１】
本発明は、既存の浴室ユニットの浴室天井パネル１を残したまま新たに乾燥機８を取付けるというニーズに対応できる。特に、既存の換気扇を取外して乾燥機８を取付ける場合は、換気扇を取外した後の孔を利用し、この孔を広げることで開口部２を形成することができる。
【００３２】
もちろん、新規の浴室ユニットにも適応できる。
【００３３】
上記のようにして浴室天井パネル１に乾燥機８を取付けるのであるが、乾燥機８は浴室内に乾燥機能、暖房機能、換気機能を備えており、浴室内を乾燥して洗濯物を乾かしたり、あるいは浴室内を暖房したり、換気したりすることができる。
【図面の簡単な説明】
【００３４】
【図１】本発明の取付け状態の斜視図である。
【図２】同上の分解斜視図である。
【図３】同上に用いる補強枠支持棒付きの補強枠の斜視図である。
【図４】同上の補強枠の要部正面図である。
【図５】（ａ）（ｂ）（ｃ）（ｄ）（ｅ）はそれぞれ施工順序を示す説明図である。
【図６】従来例の分解斜視図である。
【図７】他の従来例の分解斜視図である。
【符号の説明】
【００３５】
１  浴室天井パネル
２  開口部
３  補強枠
４  枠材
５  補強枠支持棒
６  固着手段
７  ねじ
８  乾燥機
９  断熱層
１０  段部
１１  浴室天井裏
【図１】
2009155836.tif 000003
【図２】
2009155836.tif 000004
【図３】
2009155836.tif 000005
【図４】
2009155836.tif 000006
【図５】
2009155836.tif 000007
【図６】
2009155836.tif 000008
【図７】
2009155836.tif 000009